【手続補正書】
【提出日】平成18年2月16日(2006.2.16)
【手続補正１】
【補正対象書類名】明細書
【補正対象項目名】全文
【補正方法】変更
【補正の内容】
【書類名】  明細書
【発明の名称】  電子機器
【特許請求の範囲】
【請求項１】  アクセサリーが収納される電子機器であって、
使用者によって操作される操作部材と、
前記操作部材に付与された外力を電気信号に変換するためのスイッチが実装された基板と、
前記基板を保持する保持部材と、
前記アクセサリーを収納可能であるとともに、前記保持部材を支持する、金属で構成された収納部材と、を有することを特徴とする電子機器。
【請求項２】  前記保持部材は、前記収納部材に直接支持されていることを特徴とする請求項１に記載の電子機器。
【請求項３】  前記保持部材は、前記収納部材に設けられた嵌合部と嵌合する穴部を有しており、
前記保持部材のうち前記穴部を含む周辺部分が、他の部分よりも前記収納部材側に位置していることを特徴とする請求項１又は２に記載の電子機器。
【請求項４】  移動可能な可動部材を有し、
前記保持部材は、前記可動部材との干渉を避ける回避形状部を有することを特徴とする請求項１から３のいずれかに記載の電子機器。
【請求項５】  前記アクセサリーが記録媒体であることを特徴とする請求項１から４のいずれかに記載の電子機器。
【発明の詳細な説明】
【０００１】
【発明の属する技術分野】
本発明は、別部品としてのアクセサリーが着脱可能に収納される電子機器に関し、詳しくは撮影光を撮像素子によってデジタル画像信号（画像データ）に変換し、機器本体に着脱可能なカード型画像メモリー等の記録媒体へ画像データを記録するデジタルカメラに関する。
【０００２】
【従来の技術】
各種電子機器、特に使用者が持ち運んで使用するデジタルカメラ等においては、多機能化と平行して小型化・薄型化が望まれる。そのため、各種操作部材や基板等がより省スペースで構成されることが重要な課題である。
【０００３】
また、デジタルカメラでは、一般的に、撮影光が撮像素子によってデジタル画像信号に変換され、該画像データがカード形状の画像メモリーに保存される。この画像メモリーはデジタルカメラ本体に着脱可能に収納される。
【０００４】
デジタルカメラ本体内の画像メモリーの収納部は、画像メモリーを挿入するための大きな開口部を有し、比較的強度が低い。しかし、上記した小型化及び薄型化の要望から、操作部材を配置する位置が制限され、画像メモリーの収納部に操作部材からの押圧力が加わる位置に操作部材が配置される場合がある。
【０００５】
従来のデジタルカメラの構成について図５を参照して説明する。
【０００６】
図５は、従来例のデジタルカメラにおけるカード型画像メモリーの収納部、基板用プレート及び基板の構成を示した図である。
【０００７】
図５において、４３は不図示の十字キー操作部材に対応したスイッチが実装されたフレキシブル基板であり、金属で構成されたフレキシブル基板用プレート４２の上に配置され、フレキシブル基板用プレート４２に設けた位置決め形状部４２ａにて所望の位置に固定されている。
【０００８】
また、このフレキシブル基板用プレート４２は、カメラ本体の記録媒体であるカード型画像メモリーを収納するためのプラスチックで構成されたカード収納部４１上に配置される。
【０００９】
【発明が解決しようとする課題】
しかしながら、カード収納部４１を構成するプラスチックは強度が低いため、フレキシブル基板用プレート４２をカード収納部４１によって支持する構成では、十字キー操作部材からの外力が支持部に集中しカード収納部４１が変形し、さらにはカード収納部４１に収納されたカード型画像メモリーにダメージを与える可能性がある。
【００１０】
また、近年のデジタルカメラは多機能であり、一つの操作部材を使って複数の機能を選択できるようになっている。そのため、カード収納部４１及びカード型メモリーに負荷を与えることが多くなる。
【００１１】
また、フレキシブル基板用プレート４２の少なくとも２辺の外周部に脚部４２ｂを設け、該脚部４２ｂをカード収納部４１の外周部近傍で支持するようにし、カード収納部４１に外力が付加されないようにすると、フレキシブル基板用プレート４２がカード収納部４１よりも一回り大きいサイズの四角形のうち少なくとも２辺を利用した略三角形又は略四角形の大きな形状となってしまう。また、フレキシブル基板用プレート４２に脚部４２ｂを構成すると組立て性が阻害されるという問題がある。
【００１２】
さらに、フレキシブル基板用プレート４２の厚み方向に外力が加わったときに、該外力がカード収納部４１に及ばないように、フレキシブル基板用プレート４２の厚みも十分に設ける必要があると同時に、フレキシブル基板用プレート４２とカード収納部４１との間にクリアランスを設ける必要がある。そのため、フレキシブル基板４３を配置する部分が分厚い構成となってしまい、カメラ本体の小型化・薄型化が阻害される。
【００１３】
一方、カード収納部４１が金属で構成され、該カード収納部４１の上に直接フレキシブル基板４３を配置する場合は、カード収納部４１にフレキシブル基板４３の位置決めを行うための位置決め形状部を設ける必要性がある。この位置決め形状部は、フレキシブル基板４３を確実に位置決めするために非常に高い形状とならなければならない。また、位置決め形状部を高い形状とすると、結果としてその位置決め形状部にはスイッチが配置できなくなる等の理由によって、カード収納部４１の汎用性が非常に低くなってしまう。
【００１４】
また、フレキシブル基板４３は可動部となるカード排出部材４１ａを迂回する必要性からレイアウト的な制約が生じていた。
【００１５】
そこで、本発明の目的は、カメラ本体の小型化・薄型化のために、別部品としてのアクセサリーの収納部に対して、操作部材を厚み方向で重なるように配置しても、収納部材が操作部材からの外力に対して強度を保てるとともに、機器本体の組立て性及びアクセサリー収納部の汎用性の高い電子機器を提供することである。
【００１６】
【課題を解決するための手段】
本発明は、アクセサリーが収納される電子機器であって、使用者によって操作される操作部材と、操作部材に付与された外力を電気信号に変換するためのスイッチが実装された基板と、基板を保持する保持部材と、アクセサリーを収納可能であるとともに、保持部材を支持する、金属で構成された収納部材と、を有することを特徴とする電子機器である。
【００１７】
【発明の実施の形態】
以下、本発明に係る実施の形態について図１から図３を参照して説明する。
【００１８】
図３は、本実施の形態に係るデジタルカメラを背面側からみた全体斜視図である。
【００１９】
図３において、３１はデジタルカメラ本体、３２は光学ファインダ、３３は電源ボタンである。カメラ使用者がこの電源ボタン３３を一定時間以上押しつづけることによりカメラ本体３１に電源が入り使用可能となる。
【００２０】
３４はレリーズボタンであり、撮影者は撮影時にこのレリーズボタン３４を半押しすることでフォーカスを行わせ、またレリーズボタン３４を全押しすることで撮影を行うことができる。
【００２１】
３５はズームレバーであり、このズームレバー３５を図中時計回りに回転することで不図示のレンズ鏡筒は、焦点距離がＴｅｌｅ側へ変化するように動作し、また図中反時計回りに回転させるとレンズ鏡筒は、焦点距離がＷｉｄｅ側へ変化するように動作するようになっている。
【００２２】
３６はモード切換え部材である。カメラの使用者はモード切換え部材３６を図中右側へスライドさせることでカメラを撮影モードにし、被写体を液晶表示部３０又は光学ファインダ３２を通して捕らえ撮影することができる。また、このモード切換え部材３６を図中左側へスライドさせることでカメラ本体３１を再生モードに切り替え、撮影した画像を液晶表示部３０で確認することができる。
【００２３】
３８は、カメラ本体３１の記録媒体であるカード型画像メモリーの収納部の収納蓋であり、３７はその収納蓋３８を開けるためのスライド部材である。
【００２４】
４０は操作部材としての十字キーであり、撮影時には図中上下左右それぞれの部材を操作することにより、測光モード、ストロボ発光モード、単写・連写・セルフタイマのドライブモード、マクロ・近距離・遠距離のＡＦモードを切換えることができ、また、撮影画像の再生時には拡大再生する部分の表示位置を上下左右に移動させること等ができるものである。
【００２５】
３９は各種撮影時の露出補正、ホワイトバランス、色効果の設定や撮影後の画像を削除する場合等に使用するボタン部材である。
【００２６】
図２は、デジタルカメラにおけるカード型画像メモリーの収納部、基板配置用プレート及び基板の構成を示した図である。図１は、図２において基板を取り除いた状態での拡大図である。
【００２７】
図１及び図２において、２１は、不図示のカード型画像メモリーを収納するためのカード収納部であり、カメラ本体３１の背面側から見て右側に開口部を有し、図中矢印Ｘ方向（カード装着方向）にカード型画像メモリーが着脱可能に装着される。カード収納部２１は金属などの高剛性の部材で構成される。カード収納部２１に収納されたカード型画像メモリーは、平板状部材２１ｃで覆われて外力などから保護される。また、カード収納部２１には、図３に示す収納蓋３８が開かれた状態で、開口部からカード型画像メモリーが矢印Ｘ方向にスライドされて装着される。
【００２８】
２１ａは、カード収納部２１に収納されたカード型画像メモリーを排出させるためのカード排出部材である。カード排出部材２１ａがカード着脱方向（矢印Ｘ方向）に移動すると、不図示のカード排出機構によって、カード収納部２１に収納されたカード型画像メモリーが図中矢印Ｙ方向（カード排出方向）に押出される。
【００２９】
２１ｂは、カード収納部２１をカメラ本体３１の所望の位置に固定するためのネジであり、カード収納部２１のカード装着方向先端側の二つの角に設けられている。
【００３０】
２３は、十字キー４０からの押圧力を電気信号に変換するためのスイッチ２３ａが実装されたフレキシブル基板２３である。図３に示す十字キー４０の上下左右の部材にそれぞれ４つのスイッチ２３ａが対応して配置される。十字キー４０はカメラ本体３１の小型化及び薄型化を図るため、カメラ本体３１内のカード収納部２１と厚み方向に重なる位置に配置されている。
【００３１】
２２は、フレキシブル基板２３を保持するためのフレキシブル基板用プレートである。フレキシブル基板用プレート２３は、カード収納部２１のうちカード装着方向先端側における一方の角側に配置されている。このような配置によれば、フレキシブル基板２３が十字キー４０に対応した位置になる。また、フレキシブル基板用プレート２２には、カード収納部２１との位置決め用穴形状部２２ｂが、中心部近傍及び外周縁の２個所に設けられている。また、フレキシブル基板用プレート２２には、フレキシブル基板２３を位置決めするための突起形状の位置決め形状部２２ａが、外周縁に２箇所設けられている。
【００３２】
１１は、カード収納部２１にフレキシブル基板用プレート２２を固定するための両面テープであり、図中破線で示している。
【００３３】
図４は、カード収納部２１とフレキシブル基板用プレート２２の支持部の断面図である。図４に示すように、フレキシブル基板用プレート２２は、カード収納部２１に両面テープ１１により直接貼付けられることで、面接触で支持されている。その際、二箇所の位置決め用穴形状部２２ｂがカード収納部２１に設けた二箇所の円形凸形状部２１ｄに嵌合することで、所望の位置に位置決めされる。
【００３４】
なお、フレキシブル基板用プレート２２は、位置決め穴形状部２２ｂの周辺が他の面に比べて両面テープ１１の厚さ分だけ低い（カード収納部２１に近い）形状となっており、位置決め穴形状部２２ｂがカード収納部２２の円形凸形状部２１ｄに嵌合し、確実に位置決めがなされるよう構成されている。また、このような構成によれば、カード収納部２１にフレキシブル基板用プレート２２が固定された状態で、カード収納部２１の円形凸形状部２１ｄがフレキシブル基板用プレート２２（図４におけるフレキシブル基板用プレート２２の上面）から突出しない。そのため、フレキシブル基板用プレート２２を配置した部分が厚くならず、この部分に基板や操作部材を設けることができるようになる。
【００３５】
また、フレキシブル基板２３はフレキシブル基板用プレート２２に設けられた位置決め形状部２２ａに対応した穴形状を有しており、両者が嵌合することで所望の位置へ位置決めされる。
【００３６】
また、カード排出部材２１ａがカード排出時に図中Ｘ方向に動作するときに、フレキシブル基板用プレート２２に接触したり振動が伝わったりして、フレキシブル基板２３との干渉が生じることがある。さらには干渉によってフレキシブル基板２３が破損する場合がある。これを防止するために、フレキシブル基板用プレート２２はカード装着方向後端部側がカード収納部２１の下端に達した形状となった干渉回避形状部２２ｃを有する。これは、カード排出部材２１ａがカード装着方向（矢印Ｘ方向）に移動するときに、フレキシブル基板２３に干渉しない位置でカード排出部材２１ａを停止させるための構成である。
【００３７】
以上のような構成とすることで、カード収納部２１が金属など高剛性の部材から構成されるため、カード収納部２１にフレキシブル基板用プレート２２を直接支持しても、十字キー４０からの外力によってカード収納部２１及び、カード収納部２１内に収納されたカード型画像メモリーが変形・破損しないようにすることができる。そのため、従来例で示した脚部４２ｂを不要とし、またカード収納部２１とフレキシブル基板用プレート２２との間にスペースを設ける必要がない。これによって、フレキシブル基板用プレート２２の厚みを薄くすることができる。
【００３８】
また、カード収納部２１にフレキシブル基板用プレート２２を両面シール１１によって直接貼り付けて配置することができるため、この部分の薄型化が可能となる。また、カード収納部２１とフレキシブル基板用プレート２２との支持部が面接触となるため、支持部の応力が分散され、カード収納部２１とカード型画像メモリーの変形・破損をさらに防止することができる。
【００３９】
また、フレキシブル基板用プレート２２のカード収納部２１に対する位置決め穴形状部２２ｂは、その周辺が他の部分よりも凹んだ形状となっているため、カード収納部２１側の位置決め用の円形凸形状部２１ｄは、フレキシブル基板用プレート２２の平面（図４に示すフレキシブル基板用プレート２２の上面）から突出しない。このような位置決め形状とすることで、カード収納部２１上にフレキシブル基板２３を配置し、それに対応して十字キー４０を設置することができ、操作部材としての十字キー４０をカード収納部２１と重ねて配置するためのスペースを確保することができる。
【００４０】
また、フレキシブル基板用プレート２２は、カード排出部材２１ａとの干渉を回避するために干渉回避形状部２２ｃを有しているため、他の部分ではフレキシブル基板２３と略同等のサイズとすることができ、省スペース化及び組み立て性の向上が可能となる。
【００４１】
なお、本実施の形態では、アクセサリーとしてカード型画像メモリーを用いたが、これに限らず、各種通信機器や情報携帯端末等に取り付ける通信用カードなどの様々なアクセサリーに適応できる。
【００４２】
また、本実施の形態では、基板としてフレキシブル基板を用いたが、これに限らずハード基板を用いてもよい。
【００４３】
また、本実施の形態では、操作部材は十字キー４０としたが、これに限らずその他の操作部材においても本構成を適用することができる。
【００４４】
さらに、以上説明した実施の形態は、以下に示す各発明を実施した場合の一例でもあり、下記の各発明は上記各実施の形態に様々な変更や改良が加えられて実施されるものである。
【００４５】
〔発明１〕
アクセサリーが着脱可能に収納される電子機器であって、電子機器を操作するための操作部材と、前記操作部材に付与される外力を電気信号に変換するための基板と、前記基板が保持される保持部材と、前記保持部材を支持し、かつ本体に収納されたアクセサリーを覆う金属で構成された収納部材と、を有することを特徴とする電子機器。
【００４６】
このような発明１において、電子機器としては上記したデジタルカメラの他にもデジタルビデオカメラやＩＣレコーダなど種々の電子機器が含まれる。また、アクセサリーとしては記録媒体であるカード型画像メモリーや通信用のネットワークカードなどが含まれる。また、操作部材としては上記した十字キー４０の他にもスライド部材やキーボード部材、トラックボール部材など種々の操作部材が含まれる。また、基板は上記したフレキシブル基板２３などが含まれる。また、保持部材は上記したフレキシブル基板用プレート２２などが含まれる。
【００４７】
〔発明２〕
上記発明１において、前記保持部材は前記収納部材に直接支持されることを特徴とする電子機器。
【００４８】
〔発明３〕
上記発明１又は２において、前記収納部材に設けられた嵌合部材と、前記保持部材に設けられ前記嵌合部材に嵌合する穴形状部と、を有し、前記保持部材は前記穴形状部の周囲が前記嵌合部材側に凹んだ形状であることを特徴とする電子機器。
【００４９】
〔発明４〕
上記発明１から３のいずれかにおいて、前記基板方向に移動可能な可動部材と、前記保持部材に設けられ前記基板方向への前記可動部材の移動を制止するための移動停止形状部とを有することを特徴とする電子機器。
【００５０】
このような発明４において、可動部材としては、上記したカード排出部材２１ａなどが含まれる。また、移動停止形状部としては、上記した干渉回避形状部２２ｃなどが含まれる。
【００５１】
〔発明５〕
上記発明１から４のいずれかにおいて、前記アクセサリーが記録媒体であることを特徴とする電子機器。
【００５２】
【発明の効果】
以上説明したように本発明によれば、機器本体内にアクセサリーを収納可能な電子機器において、アクセサリーの収納部に対して厚み方向に重なるように操作部材を配置しても、アクセサリーに掛かる負荷を低減することができるため、操作部材の配置が制約を受けず、機器本体の組み立て性が向上するとともに、機器本体の小型化及び薄型化が可能となる。
【図面の簡単な説明】
【図１】
本発明の実施の形態に係るデジタルカメラにおけるカード型画像メモリーの収納部及び基板配置用プレートの構成を示した図である。
【図２】
本発明の実施の形態に係るデジタルカメラにおけるカード型画像メモリーの収納部、基板配置用プレート及び基板の構成を示した図である。
【図３】
本発明の実施の形態に係るのデジタルカメラの全体を示した図である。
【図４】
本発明の実施の形態に係るデジタルカメラにおけるカード型画像メモリーの収納部と基板配置用プレートの支持機構を説明するための図。
【図５】
従来例のデジタルカメラのカード型画像メモリーの収納部、基板配置用プレート及び基板の構成を示した図である。
【符号の説明】
１１・・・両面テープ
２１・・・カード収納部
２１ａ・・・カード排出部材
２１ｂ・・・ネジ
２１ｃ・・・平板状部材
２１ｄ・・・円形凸形状部
２２・・・フレキシブル基板用プレート
２２ａ・・・位置決め形状部
２２ｂ・・・位置決め形状部
２２ｃ・・・干渉回避形状部
２３・・・フレキシブル基板
２３ａ・・・スイッチ
３０・・・液晶表示部
３１・・・デジタルカメラ本体
３２・・・光学ファインダ
３３・・・電源ボタン
３４・・・レリーズボタン
３５・・・ズームレバー
３６・・・モード切換え部材
３７・・・スライド部材
３８・・・収納蓋
３９・・・ボタン部材
４０・・・操作部材
４１・・・カード収納部
４１ａ・・・カード排出部材
４２フレキシブル基板用プレート
４２ａ・・・位置決め形状部
４２ｂ・・・脚部
４３・・・フレキシブル基板
【手続補正２】
【補正対象書類名】図面
【補正対象項目名】図１
【補正方法】変更
【補正の内容】
【図１】
2004260325.tif 000001
【手続補正３】
【補正対象書類名】図面
【補正対象項目名】図２
【補正方法】変更
【補正の内容】
【図２】
2004260325.tif 000002
【手続補正４】
【補正対象書類名】図面
【補正対象項目名】図４
【補正方法】変更
【補正の内容】
【図４】
2004260325.tif 000003